(57)【要約】【課題】ピンオンリールホルダーからピンオンリールが脱落してしまうことを防止すること。【解決手段】第一の部材１０２と第二の部材１０３との間にピンオンリール１０１を挟み込み、ピンオンリール１０１をピン１０８により着脱自在に取り付けることができるようにされているピンオンリールホルダー１００であって、第一の部材１０２と第二の部材１０３には、ピンオンリール１００に設けられている脱落防止用凹状部１０９に嵌合する脱落防止用凸部１１０が設けられていることを特徴とするピンオンリールホルダー１００を提供する。【選択図】　図２
2004008134.tif 000002
【特許請求の範囲】
【請求項１】
第一の部材と第二の部材との間にピンオンリールを挟み込み、前記ピンオンリールを着脱自在に取り付けることができるようにされているピンオンリールホルダーであって、
前記第一の部材と前記第二の部材との少なくとも何れか一方には、前記ピンオンリールに設けられている脱落防止用凹状部に嵌合する脱落防止用凸部が設けられていることを特徴とするピンオンリールホルダー。
【請求項２】
前記脱落防止用凸部は、前記脱落防止用凹状部の内壁に押し当てられる突起部を少なくとも２つ以上設けることにより形成されていることを特徴とする請求項１に記載のピンオンリールホルダー。
【請求項３】
前記脱落防止用凸部は、円柱形状に形成されている前記脱落防止用凹状部に嵌合するように、円柱形状に形成されていることを特徴とする請求項１に記載のピンオンリールホルダー。
【請求項４】
第一の部材と第二の部材との間にピンオンリールを挟み込み、前記ピンオンリールを着脱自在に取り付けることができるようにされているピンオンリールホルダーであって、
前記第一の部材と前記第二の部材との少なくとも何れか一方には、前記ピンオンリールに設けられている脱落防止用凸状部を嵌合することができる脱落防止用凹部が設けられていることを特徴とするピンオンリールホルダー。
【請求項５】
前記脱落防止用凹部は、円柱形状に形成されている前記脱落防止用凸状部を嵌合することができるように、円柱形状に形成されていることを特徴とする請求項４に記載のピンオンリールホルダー。
【請求項６】
前記ピンオンリールと、前記第一の部材と前記第二の部材とを連結している連結部と、の間の距離は、前記ピンオンリールを前記連結部の方向に押し込むことにより、前記脱落防止用凸部又は前記脱落防止用凹部から外すことができるような距離に設定されていることを特徴とする請求項１乃至５の何れか一項に記載のピンオンリールホルダー。
【請求項７】
前記脱落防止用凸部又は前記脱落防止用凹部には、前記連結部とは離れるにしたがって、前記第一の部材又は前記第二の部材との間の距離が大きくなるような傾斜面が設けられていることにより、前記ピンオンリールを前記連結部の方向に押し込むことで、前記脱落防止用凸部から外すことができるようにされていることを特徴とする請求項４に記載のピンオンリールホルダー。
【請求項８】
前記第一の部材と前記第二の部材の少なくとも何れか一方には、前記ピンオンリールを挟み込む面とは反対の面に、安全ピンが取り付けられていることを特徴とする請求項１乃至７の何れか一項に記載のピンオンリールホルダー。
【請求項９】
前記安全ピンは、前記安全ピンを用いて前記ピンオンリールホルダーを吊り下げた場合に、前記ピンオンリールホルダーの下方が下となるような位置に設けられていることを特徴とする請求項８に記載のピンオンリールホルダー。
【発明の詳細な説明】
【０００１】
【発明の属する技術分野】本願発明は、ピンオンリールを着脱自在に取り付けることができるピンオンリールホルダーに関する。
【０００２】
【従来の技術】
釣りなどの際には、ラインカッター、フックシャープナー、針外し等の頻繁に使用する道具をピンオンリールに取り付けておくことが行われている。
【０００３】
ここで、ピンオンリールは、糸と、糸の先に設けられたクリップ部と、ピンオンリール本体と、を備え、このピンオンリール本体は、糸を巻き取るドラムと、糸を巻き取る方向にドラムを付勢するバネとをケース内に納めることにより構成されているのが一般的である。
【０００４】
以上のようなピンオンリールにおいては、クリップ部にラインカッター等の道具を取り付け、この道具を使用する際には、この道具を引っ張ることによりドラムに巻かれた糸が繰り出され、この道具から手を離すと糸が巻き取られる仕組みになっている。
【０００５】
そして、従来においては、このようなピンオンリールを使用する道具の数だけ用意していた。
【０００６】
【発明が解決しようとする課題】
しかしながら、従来のように道具の数だけピンオンリールを用意して持ち歩いたのでは、その取り扱いが不便である。
【０００７】
そこで、本願発明は、ピンオンリールを保持することができ、また、消費者の選択により、使用するピンオンリールの数を変えることができるピンオンリールホルダーを提供することを目的とする。
【０００８】
【課題を解決するための手段】
以上の課題を解決するため、本願第一の発明は、第一の部材と第二の部材との間にピンオンリールを挟み込み、前記ピンオンリールを着脱自在に取り付けることができるようにされているピンオンリールホルダーであって、前記第一の部材と前記第二の部材との少なくとも何れか一方には、前記ピンオンリールに設けられている脱落防止用凹状部に嵌合する脱落防止用凸部が設けられていることを特徴とするピンオンリールホルダーを提供する。
【０００９】
ピンオンリールホルダーは、第一の部材と第二の部材との間にピンオンリールを挟み込むことができるようにし、この第一の部材と第二の部材とをネジ止め又は一体成形等することにより、ピンオンリールを着脱自在に取り付けることができるように構成されている。
【００１０】
このように構成されているピンオンリールホルダーの第一の部材と第二の部材との少なくとも何れか一方に、脱落防止用凸部を設けておき、この脱落防止用凸部をピンオンリールに設けられている脱落防止用凹状部に嵌合させることにより、ピンオンリールの脱落を防止することが可能となる。
【００１１】
このような脱落防止用凸部は、第一の部材と第二の部材の少なくとも何れか一方に設けておけばよいが、第一の部材と第二の部材の両方に設けておいてもよい。
【００１２】
脱落防止用凸部は、ピンオンリールに設けられている脱落防止用凹状部の内壁に押し当てられる突起部を少なくとも２つ以上設けることにより形成してもよく、また、脱落防止用凸部として、円柱形状に形成された脱落防止用凹状部に嵌合するような円柱形状に形成してもよい。
【００１３】
本願第二の発明は、第一の部材と第二の部材との間にピンオンリールを挟み込み、前記ピンオンリールを着脱自在に取り付けることができるようにされているピンオンリールホルダーであって、前記第一の部材と前記第二の部材との少なくとも何れか一方には、前記ピンオンリールに設けられている脱落防止用凸状部を嵌合することができる脱落防止用凹部が設けられていることを特徴とするピンオンリールホルダーを提供する。
【００１４】
これは、本願第一の発明が、第一の部材と第二の部材との少なくとも何れか一方に脱落防止用凸部を設け、ピンオンリールに設けられている脱落防止用凹状部に嵌合させることにより、ピンオンリールホルダーからピンオンリールが脱落してしまうのを防止しているのに対し、本願第二の発明にあっては、第一の部材と第二の部材との少なくとも何れか一方に脱落防止用凹部を設けておき、ピンオンリールに設けられている脱落防止用凸状部を嵌合させることにより、ピンオンリールホルダーからピンオンリールが脱落してしまうことを防止している。
【００１５】
なお、その他の構成については、本願第一の発明と本願第二の発明は同様の構成を有している。
【００１６】
例えば、第一の部材又は第二の部材の少なくとも何れか一方に設けられている脱落防止用凹部は、円柱形状に形成されている脱落防止用凸状部を嵌合することができるように、円柱形状に形成することができる。
【００１７】
また、このように円柱形状に形成された脱落防止用凸部と脱落防止用凹部は、第一の部材と第二の部材とを連結している連結部から離れるにしたがって、第一の部材又は第二の部材との間の距離が大きくなるような傾斜面を設けておくことにより、第一の部材と第二の部材との間に挟み込まれているピンオンリールをこの連結部の方向に押し込むことにより、第一の部材と第二の部材との間の間隔が開くため、ピンオンリールを容易に外すことができるようになる。
【００１８】
なお、ピンオンリールを第一の部材と第二の部材とを連結している連結部の方向に押し込むことにより、ピンオンリールを脱落防止用凸部又は脱落防止用凹部から外すことができるようにする場合には、ピンオンリールと連結部との間の距離は、ピンオンリールをこの連結部の方向に押し込み、脱落防止用凸部又は脱落防止用凹部からこのピンオンリールを外すことができるような距離にしておく必要がある。
【００１９】
また、ピンオンリールホルダーを構成している第一の部材と第二の部材の少なくとも何れか一方には、ピンオンリールを挟み込む面とは反対の面に安全ピンを取り付けておくことにより、このピンオンリールホルダーを衣服等に吊り下げることができるようになる。
【００２０】
なお、ピンオンリールホルダーに取り付ける安全ピンは、この安全ピンを用いてピンオンリールホルダーを吊り下げた場合に、ピンオンリールホルダーの下方が下となるような位置に取り付けられていることにより、ピンオンリールホルダーに取り付けられているピンオンリールに針外し等の道具を取り付けて、衣服等に吊り下げた際にもピンオンリールホルダーが安定する。
【００２１】
【発明の実施の形態】
図１は、本発明の第一の実施形態に係るピンオンリールホルダー１００にピンオンリール１０１を取り付けた際の上方斜視図である。図２は、図１のＸ−Ｘ’線における縦断面図である。図３は、ピンオンリールホルダー１００にピンオンリール１０１を取り付けた際の背面図である。
【００２２】
ピンオンリールホルダー１００は、第一の部材１０２と第二の部材１０３とが連結部１０４によって連結されており、第一の部材１０２と第二の部材１０３との間にピンオンリール１０１を挟み込むことができるようにされている。
【００２３】
図２の縦断面図で表されているように、ピンオンリール１０１は、ドラム１０５の中心部に板バネ１０６が挿入されており、この板バネ１０６により、糸１０７を巻き取る方向にドラム１０５を付勢している。
【００２４】
このようなピンオンリール１０１は、ピン１０８により着脱自在に取り付けられている。
【００２５】
即ち、ピンオンリール１０１には、ドラム１０５の中心軸の部分に固定用凹部１１４が設けられており、この固定用凹部１１４に第二の部材１０３の外側からピン１０８を挿入することにより、ピンオンリール１０１はピンオンリールホルダー１００に着脱自在に取り付けられている。
【００２６】
なお、このピン１０８は、第二の部材１０３に嵌合することにより、着脱自在とされているが、例えば、ネジ等により、着脱自在に取り付けてもよい。
【００２７】
ピンオンリール１０１には、脱落防止用凹状部１０９が設けられており、これと嵌合するような大きさ・形状で、第一の部材１０２及び第二の部材１０３には、脱落防止用凸部１１０が設けられている。
【００２８】
このような脱落防止用凹状部１０９とこれに嵌合する脱落防止用凸部１１０とを設けたので、たとえピン１０８が外れた場合でも、ピンオンリール１０１がピンオンリールホルダー１００から脱落してしまうのを防止することが可能となる。
【００２９】
なお、第一の部材１０２と第二の部材１０３とに設けられている脱落防止用凸部は、この第一の部材１０２と第二の部材１０３の間にピンオンリール１０１を挟み入れることができる程度の高さＡとなるように形成する必要がある。
【００３０】
図４に表されているように、第一の部材１０２及び第二の部材１０３に設けられている脱落防止用凸部１１０には、連結部１０４から離れるにしたがって、第一の部材１０２と第二の部材１０３との間の距離が大きくなるような傾斜面１１１を形成しておくことにより、ピンオンリール１０１をピンオンリールホルダー１００に挟み込む場合に、この傾斜面１１１にピンオンリール１００を押し込むことにより、第一の部材１０２と第二の部材１０３との間隔Ｃを広げることが可能となり、容易にピンオンリール１０１をピンオンリールホルダー１００に挟み込むことが可能となる。
【００３１】
なお、このような傾斜面１１１を形成する場合には、連結部１０４とは反対側の脱落防止用凸部１１０同士の幅Ｄは、ピンオンリール１０１の幅Ｂよりも大きくなるように形成することにより、容易にピンオンリール１０１を第一の部材１０２と第二の部材１０３との間に挟み込むことができるようになる。
【００３２】
なお、脱落防止用凸部１１０は、ピンオンリール１０１に形成されている脱落防止用凹状部１０９に嵌り込む関係上、連結部１０４の側の脱落防止用凸部１１０同士の幅Ｅは、ピンオンリール１０１の幅Ｂよりも小さくなるようにする必要がある。
【００３３】
また、ピンオンリール１０１をピンオンリールホルダー１００から外す場合にも、ピンオンリール１０１を連結部１０４の方向に押し込むことにより、第一の部材１０２と第二の部材１０３との間の間隔Ｃを広げることができ、容易にピンオンリール１０１をピンオンリールホルダー１００から外すことができるようになる。
【００３４】
本実施形態では、傾斜面１１１は、第一の部材１０２及び第二の部材１０３の両方の脱落防止用凸部１１０に設けたが、第一の部材１０２又は第二の部材１０３の片方の脱落防止用凸部１１０にのみ設けてもよい。
【００３５】
また、連結部１０４と脱落防止用凸部１１０との間の距離は、ピンオンリール１０１を押し込んだ場合に、ピンオンリール１０１が自由に動くことができるような距離に設定されている。
【００３６】
図３に表すように、ピンオンリールホルダー１００の背面には、安全ピン１１２が取り付けられている。
【００３７】
この安全ピン１１２は、ピンオンリール１０１の中央部に取り付けられているピン１０８よりも連結部１０４側に取り付けられており、このことによって、ピンオンリール１０１を取り付けたピンオンリールホルダー１００を安全ピン１１２によって衣服等に吊り下げた場合でも、ピンオンリール１０１自体の重さにより、ピンオンリール１０１が下方にぶら下がり、安定して、ピンオンリール１０１を吊り下げることができる。
【００３８】
なお、本実施形態では、第一の部材１０２と第二の部材１０３に設けられている脱落防止用凸部１１０を円柱状に形成したが、例えば、図５に表されているように、第一の部材１０２ａ及び第二の部材１０３ａ（図示せず）に突起部１１３を設けておき、この突起部１１３がピンオンリール１０１に設けられている脱落防止用凹状部１０９の内壁１０９ａに押し当てられることにより、ピンオンリール１０１がピンオンリールホルダー１００から脱落してしまうのを防止することもできる。
【００３９】
また、本実施形態では、第一の部材１０２と第二の部材１０３とに脱落防止用凸部１１０を形成し、ピンオンリール１０１に形成されている脱落防止用凹状部１０９に嵌合させることにより、ピンオンリール１０１がピンオンリールホルダー１００から脱落してしまうことを防止しているが、図６に表されているように、第一の部材１０２ｂ及び第二の部材１０３ｂには脱落防止用凹部１０５を設けておき、ピンオンリール１０１ｂに設けられている脱落防止用凸状部１１６を嵌合することにより、ピンオンリール１０１ｂがピンオンリールホルダー１００ｂから脱落してしまうことを防止することができる。
【００４０】
なお、図６のように、第一の部材１０２ｂと第二の部材１０３ｂとに脱落防止用凹部１１５を設けた場合にも、この脱落防止用凹部１１５に連結部１０４ｂから連結部１０４ｂの反対側に向かって第一の部材１０２ｂと第二の部材１０３ｂとの間の間隔が広がるような傾斜面１１１ｂを付けておくことで、ピンオンリール１０１ｂを連結部１０４ｂの方向に押し込むことにより、容易にピンオンリール１０１ｂを取り外すことができるようになる。
【００４１】
図７は、本発明の第二の実施形態に係るピンオンリールホルダー２００にピンオンリール１０１を取り付けた場合の上方斜視図である。図８は、図７のＹ−Ｙ’線における縦断面図である。図９は、ピンオンリールホルダー２００にピンオンリール１０１を取り付けた際の背面図である。
【００４２】
本実施形態では、第一の実施形態とは異なり、ピンオンリールホルダー２００にピンオンリール１０１を二つ取り付けることとしている。
【００４３】
このため、第一の部材２０２と第二の部材２０３には、それぞれ二つの脱落防止用凸部２１０が設けられている。
【００４４】
なお、第一の部材２０２に設けられている脱落防止用凸部２１０同士の間隔Ｇ及び第二の部材２０３に設けられている脱落防止用凸部２１０同士の間隔Ｆは、ピンオンリール１０１を取り外す際に、ピンオンリール１０１を連結部２０４の方向に押し込むことができる程度の間隔を開けておく必要がある。
【００４５】
また、本実施形態で用いられるピン２０８も二つのピンオンリール１０１を着脱自在に取り付ける関係上、二つのピン部２１７を懸架部２１８により掛け渡すように形成されている。
【００４６】
そして、このピン２０８のピン部２１７をピンオンリール１０１の中心部に設けられている固定用凹部２２１に挿入し、ピン２０８の懸架部２１８を第二の部材２０３の背面２１９に設けられている係止用突起２２０に嵌め込むことにより、ピンオンリール２０１はピンオンリールホルダー２００に着脱自在に取り付けられている。
【００４７】
なお、本実施形態においても、図４で表されているような傾斜面１１１を脱落防止用凸部２１０に設けることにより、容易にピンオンリール１０１をピンオンリールホルダー２００に挟み込み、また、一度挟み込んだピンオンリール１０１を連結部２０４の方向に押し込むことにより、容易にピンオンリールホルダー２００から取り外すことができるようになる。
【００４８】
さらに、本実施形態でも、第二の部材２０３の背面２１９に安全ピン２１２が取り付けられており、この安全ピン２１２は、ピンオンリール１０１の中心部に挿入されているピン２０８よりも上方におかれることにより、ピンオンリール１０１をピンオンリールホルダー２００に取り付け服等に吊り下げた場合でも、ピンオンリール１０１自体の重さにより安定する。
【００４９】
なお、本実施形態でも、第一の部材２０２及び第二の部材２０３に設けられている脱落防止用凸部２１０は、円柱状に形成しているが、例えば、図５に表されているような突起部１１３によりピンオンリール１０１の脱落を防止するようにしてもよい。
【００５０】
また、本実施形態でも、第一の部材２０２及び第二の部材２０３に脱落防止用凸部２１０を設け、ピンオンリール１０１に設けられている脱落防止用凹状部２０９に嵌合することにより、ピンオンリール１０１が脱落してしまうのを防止しているが、例えば、図６に表されているように、第一の部材２０２及び第二の部材２０３に脱落防止用凹部１１５を設けておき、ピンオンリール１０１ｂに設けられている脱落防止用凸状部１１６を嵌合させることにより、ピンオンリール１０１ｂの脱落を防止するようにしてもよい。
【００５１】
【発明の効果】
以上のように本願発明を構成したので、ピンオンリールを保持することができ、また、消費者の選択により、使用するピンオンリールの数を変えることができるピンオンリールホルダーを提供することができる。
【図面の簡単な説明】
【図１】第一の実施形態に係るピンオンリールホルダー１００にピンオンリール１０１を取り付けた際の上方斜視図。
【図２】図１のＸ−Ｘ’線における縦断面図。
【図３】ピンオンリールホルダー１００にピンオンリール１０１を取り付けた際の背面図。
【図４】ピンオンリールホルダー１００の側面図。
【図５】脱落防止用凸部１１０の変形例。
【図６】ピンオンリールホルダー１００の変形例。
【図７】第二の実施形態に係るピンオンリールホルダー２００にピンオンリール１０１を取り付けた場合の上方斜視図。
【図８】図７のＹ−Ｙ’線における縦断面図。
【図９】ピンオンリールホルダー２００にピンオンリール１０１を取り付けた際の背面図。
【符号の説明】
１００　第一の実施形態に係るピンオンリールホルダー
１０１　ピンオンリール
１０２、２０２　第一の部材
１０３、２０３　第二の部材
１０４、２０４　連結部
１０８、２０８　ピン
１０９、２０９　脱落防止用凹状部
１１０、２１０　脱落防止用凸部
１１１　傾斜面
１１２、２１２　安全ピン
２００　第二の実施形態に係るピンオンリールホルダー
【図１】
2004008134.tif 000003
【図２】
2004008134.tif 000004
【図３】
2004008134.tif 000005
【図４】
2004008134.tif 000006
【図５】
2004008134.tif 000007
【図６】
2004008134.tif 000008
【図７】
2004008134.tif 000009
【図８】
2004008134.tif 000010
【図９】
2004008134.tif 000011